(57)【要約】【課題】  除塵装置を稼動するためのスペースの狭小化をはかることにより本体の小型化に寄与できるようにし、且つ吸込空気に対する抵抗を低減させることにより、空気の吸込量を増加させることが可能な構成にした空気調和機を提供する。【解決手段】  前面パネル1aおよび吸込桟を有する天面グリル1bを備えた本体に、エアフィルタ４と送風ファン６とを設け、前記エアフィルタ４の前面に、同エアフィルタ４の表面に沿って往復運動する除塵装置７を設け、同除塵装置７の往復運動に伴って前記天面グリル1bが開閉してなる空気調和機において、前記天面グリルの前端と前記前面パネルの上端との間に空気通路をなす隙間ａおよびｂを形成した。【選択図】  図４
2008075927.tif 000002
【特許請求の範囲】
【請求項１】
前面パネルおよび吸込桟を有する天面グリルを備えた本体に、エアフィルタと送風ファンとを設け、前記エアフィルタの前面に、同エアフィルタの表面に沿って往復運動する除塵装置を設け、同除塵装置の往復運動に伴って前記天面グリルが開閉してなる空気調和機において、
前記天面グリルの前端と前記前面パネルの上端との間に空気通路を形成してなることを特徴とする空気調和機。
【請求項２】
前記天面グリルの前端部が、前記除塵装置の往復運動に伴って、前記前面パネルの上端部とオーバーラップした量よりも大きく移動してなることを特徴とする請求項１に記載の空気調和機。
【請求項３】
前記空気通路が前記吸込桟の間隔と同等の間隔であることを特徴とする請求項１に記載の空気調和機。
【発明の詳細な説明】
【技術分野】
【０００１】
本発明は、エアフィルタ表面に沿って往復運動する除塵装置を備えた空気調和機に係わり、より詳細には、除塵装置を稼動するためのスペースの狭小化をはかることにより本体の小型化に寄与できるようにし、且つ吸込空気に対する抵抗を低減させることにより空気の吸込量を増加させるようにした構成に関する。
【背景技術】
【０００２】
従来の空気清浄機や空気調和機には、集塵用フィルタの掃除は、高所に取り付けられている場合はフィルタを取り外す際に顔や身体に埃などが落ちてきたり、手が汚れたりして不衛生であったため、フィルタの前面に稼動するブラシを設置することによって、フィルタを取り外すことなくフィルタの掃除ができ、常に清浄な状態に保っておくことを可能にしたフィルタ除塵装置を備えてなるものがあった（例えば、特許文献１参照。）。
【０００３】
しかしながら、前記フィルタ除塵装置は、空気清浄機や空気調和機の吸込口と、前記フィルタとの間にスペースを空けた状態にして稼動するように構成されていることから、空気清浄機や空気調和機の上下方向または前後方向の寸法が大きくなって小型化が困難になってしまうという問題点を有していた。
【０００４】
そのため、例えば図７に示すように、フィルタ４の掃除時には前記フィルタ除塵装置７が上方に移動するのに伴って、パネル１を構成する天面パネル1bがリンク機構10を介して上方に押し開かれる一方、フィルタ４の掃除時以外には前記天面パネル1bの位置が下方に降りることで本体の小型化に寄与できるように構成したが、その場合、図７に示すＤ部のように、前記パネル１を構成する前面パネル1aの上端部と前記天面パネル1bの前端部とが近接または接触した構造になって、該箇所からの吸込空気流量が減少して空気調和機としての性能が低下してしまうおそれがあった。
【特許文献１】特開２００１−１７０４３０号公報
【発明の開示】
【発明が解決しようとする課題】
【０００５】
そこで、本発明は上述した課題を解決するためになされたものであって、その目的は、除塵装置を稼動するためのスペースの狭小化をはかることにより本体の小型化に寄与できるようにし、且つ吸込空気に対する抵抗を低減させることにより、空気の吸込量を増加させることが可能な構成にした空気調和機を提供することにある。
【課題を解決するための手段】
【０００６】
上述した目的を達成するため、本発明は以下に示す特徴を備えている。
【０００７】
前面パネルおよび吸込桟を有する天面グリルを備えた本体に、エアフィルタと送風ファンとを設け、前記エアフィルタの前面に、同エアフィルタの表面に沿って往復運動する除塵装置を設け、同除塵装置の往復運動に伴って前記天面グリルが開閉してなる空気調和機において、
前記天面グリルの前端と前記前面パネルの上端との間に空気通路を形成してなることを特徴としている。
【０００８】
また、前記天面グリルの前端部が、前記除塵装置の往復運動に伴って、前記前面パネルの上端部とオーバーラップした量よりも大きく移動してなることを特徴としている。
【０００９】
また、前記空気通路が前記吸込桟の間隔と同等の間隔であることを特徴としている。
【発明の効果】
【００１０】
本発明によれば、パネルが往復運動する除塵装置に伴って開閉する構成にしたので、除塵装置を稼動するためのスペースの狭小化をはかることによって本体の小型化に寄与できるようにし、且つ吸込空気に対する抵抗を低減させることにより、空気の吸込量を増加させることが可能な構成にした空気調和機を提供できる。
【発明を実施するための最良の形態】
【００１１】
次に、本発明の実施形態について図面を参照しながら説明する。
【００１２】
図１は本発明による空気調和機の分解斜視図であり、図２は本発明による空気調和機の天面グリルを押し開いた時の外観斜視図であり、図３は本発明による空気調和機の説明図で、（Ａ）は第一の断面図、（Ｂ）は要部拡大図であり、図４は本発明による空気調和機の第二の断面図であり、図５は本発明による空気調和機の第三の断面図であり、図６は本発明による空気調和機の要部説明図で、（Ａ）は分解斜視図、（Ｂ）は天面グリルの連係ピン取付部裏面側を示す要部斜視図である。
【００１３】
本発明による空気調和機は、図に示すように、前面パネル1aおよび複数の吸込桟を有する天面グリル1bからなるパネル１を備えた本体に、吸込口２と吹出口３とを結ぶ空気通路と、前記吸込口２から吸い込まれた空気中の塵埃を除去するエアフィルタ４と、塵埃が除去された清浄空気を熱交換する熱交換器５と、熱交換された空気を前記吹出口３に送出する送風ファン６とが設けられた構成になっている。
【００１４】
前記エアフィルタ４の前面には、同エアフィルタ４の表面に沿って往復運動することにより、同エアフィルタ４に付着した塵埃を除去する除塵装置７が設けられており、同除塵装置７は駆動モータ7aが連係されることによって駆動されるように構成されている。
【００１５】
前記天面グリル1bは、前記吸込口２の両側に設けられたガイド８により円滑に稼働した前記除塵装置７が接触することにより、同除塵装置７が稼働するのに伴って外側に押し開かれたり、押し開かれた位置から自重によってもとに位置に復帰したりするようになり、その際、前記天面グリル1bを外側に押し開かせたり、また、もとに位置に復帰したりするための駆動装置を個別に設けなくてもよい。
【００１６】
これによって、前記除塵装置７が稼動するためのスペースは、前記天面グリル1bに接触させることなく往復運動する場合に比べて狭小化をはかることができるようになり、空気調和機としての小型化に寄与できるようになる。
【００１７】
なお、前記天面グリル1bは、前記除塵装置７を接触させて外側に押し開かせたり、また、自重によってもとに位置に復帰させたりするのではなく、図３（Ｂ）に二点鎖線で示すように、駆動モータ12を連係することによって開閉されるように構成してもよい。
【００１８】
次に、前記天面グリル1bが前記除塵装置７に接触することにより外側に押し開かれるようにした構成および動作について図３（Ａ）および図３（Ｂ）乃至図５に基づいて以下に説明する。
【００１９】
前記除塵装置７は、第一の状態として図３（Ａ）に示すように、前記エアフィルタ４から前記除塵装置７のケース外面までの寸法Ａのように構成されており、前記エアフィルタ４の前面下部に対向する前記エアフィルタ４から前記前面パネル1aまでの寸法Ｂの範囲に、「寸法Ａ＜寸法Ｂ」の関係によって収容されるようになっている。
【００２０】
前記天面グリル1bは、同天面グリル1bの両側に前記除塵装置７が接触しないように設けられたリンク機構10により上下に平行移動することができるように設けられている。
【００２１】
また、前記天面グリル1bは、同天面グリル1bと前記エアフィルタ４との間のスペースとなる寸法Ｃと、前記寸法Ａとが「寸法Ｃ＜寸法Ａ」の関係に構成されるように空気調和機の上部に装着されている。
【００２２】
これによって、前記除塵装置７を前記天面グリル1bに接触することなく往復運動させる場合と比べて、前記スペースＣの狭小化をはかることができるようになり、空気調和機の小型化に寄与できるようになる。
【００２３】
なお、前記除塵装置７は、前記駆動モータ7aにより駆動されて、前記天面グリル1bを平行移動させながら外側に押し開く際、同天面グリル1bの自重に抗して押し開くだけの駆動力が必要になることから、この駆動力を援助するため、同天面グリル1bを付勢ばね11によって上方に付勢するようにしてもよい。
【００２４】
すなわち、前記リンク機構10は、図３（Ｂ）に示すように、前記天面グリル1bの両側に設けられ両端に第一連係ピン10c および第一スライドピン10e を備えた第一リンク10a と、両端に第二連係ピン10f および第二スライドピン10d を備えた第二リンク10b と、前記第一リンク10a と前記第二リンク10b とを互いに枢支する枢支部10h と、前記第一スライドピン10e を前後にスライド自在に支持するスライド溝10g とからなる構成にし、前記第一スライドピン10e および前記第二連係ピン10f の間に張設された付勢ばね11によって、前記第一スライドピン10e および前記第二スライドピン10d を図３（Ｂ）に示す破線の矢印ｂのように付勢させることにより、前記天面グリル1bが上方に付勢されるようにしてもよい。
【００２５】
また、前記前面パネル1aの上端と前記天面グリル1bの前端とは、図３（Ａ）に示すオーバーラップｄのように、上下方向が略同一の位置になるように構成されるか、もしくは互いに少許オーバーラップｄするように構成される一方、前後方向は、吸込空気用の空気通路をなす前記天面グリル1bの吸込桟と同等の間隔に構成された隙間ａが形成されることにより、該箇所から室内空気を吸い込めるようになっている。
【００２６】
なお、図３（Ａ）に示すオーバーラップｄの量（大きさ）は、できるだけ少なく（小さく）設定することによって該箇所における騒音や吸込抵抗も改善できることになる。
【００２７】
前記隙間ａは、上述した背景技術においては、前面パネル1aの上端と前記天面パネル1bの前端とが１ミリメートル程度の間隔で近接したりまたは接触した構成であったが、本発明においては、例えば２ミリメートル乃至１０ミリメートル程度の範囲で構成するのが良好であるが、上述したとおり、前記天面グリル1bの吸込桟と同等の間隔に構成することで均等な吸込空気量を見込める。
【００２８】
上述した隙間ａを形成する前記天面グリル1bの前端は、図示はしないが、同天面グリル1bの前端部の下端が後方に傾斜するように形成されることにより、該箇所を流通する吸込空気に対する抵抗を低減できるようにすることで、更に吸込空気量の増加をはかれるようにしてもよい。
【００２９】
前記除塵装置７は、前記駆動モータ7aにより駆動されて、第一の状態として図３（Ａ）に示す位置から、第二の状態として図４に示す位置まで稼働させることにより、同除塵装置７の一部が前記天面グリル1bに接触して、同天面グリル1bを、図４に示す移動量h3のように、その自重に抗して外側に向け、上述したオーバーラップｄの量よりも大きく移動させて押し開くことになる。
【００３０】
その際、前記前面パネル1aの上端と前記天面グリル1bの前端とにおいて、上下方向に空気通路をなす隙間ｂが形成されることにより、この隙間ｂから前記除塵装置７が稼働中であることを視認することが可能になって、同除塵装置７の稼働状態や前記エアフィルタ４が清掃中であることをユーザが確認できるようになる。
【００３１】
次に、前記除塵装置７は、前記駆動モータ7aにより駆動されて、上述した第二の状態から第三の状態として図５に示す位置まで稼働させることにより、同除塵装置７によって、前記天面グリル1bを図５に示す移動量h4のように、外側に向けて更に押し開いた状態となる。
【００３２】
その際、「移動量h3＜移動量h4」となって、前記天面グリル1bは、前記リンク機構10によって平行移動するという構造になるが、第二の状態として図４に示す位置まで押し開かれたのち、第三の状態として図５に示す位置まで順次外側に向けて押し開かれるようになる。
【００３３】
また、前記前面パネル1aの上端と前記天面グリル1bの前端とにおいて、上下方向に隙間ｂよりも大きい隙間ｃが形成されることにより、同隙間ｃから前記除塵装置７が稼働中であることを更に容易に視認することが可能になり、前記エアフィルタ４が清掃中であることをユーザが確認できるようになる。
【００３４】
なお、上述した第二の状態として図４に示し、上述した第三の状態として図５に示す前記前面パネル1aの上端と前記天面グリル1bの前端との前後方向については、上述した第一の状態として図３（Ａ）に示す隙間ａと同等の隙間ａが形成された構成になっている。
【００３５】
以上のように、前記除塵装置７を上述した第一の状態から上述した第三の状態まで稼働させ、また同様に、前記除塵装置７を上述した第三の状態から上述した第一の状態まで復帰させるようにしてなる往復運動によって、前記エアフィルタ４の表面を綺麗に除塵できるようになる。
【００３６】
そして、前記除塵装置７を上述した第三の状態から上述した第一の状態まで復帰させた際、前記天面グリル1bは、その自重により図３（Ａ）に示す通常の位置に復帰することになって、空気調和機としての上下寸法を抑えて小型化に寄与できるようになる。
【００３７】
なお、前記リンク機構10は、図３乃至図５に示すように、前記天面グリル1bの前後方向の中央部に設けるように構成されており、これによって、同天面グリル1bを平行移動可能に、且つ安定的に支持できるようになる。
【００３８】
また、図６（Ａ）に示す前記天面グリル1bの裏面には、図６（Ｂ）に示すように、前記第一連係ピン10c に対応する第一連係部1cと、前記第二スライドピン10d に対応する第二連係部1dとが夫々設けられており、前記第一連係ピン10c が前記第一連係部1cに回動可能に連係し、且つ前記第二スライドピン10d が前記第二連係部1dにスライド可能に連係して、前記天面グリル1bが上下に平行移動するようになっている。
【図面の簡単な説明】
【００３９】
【図１】本発明による空気調和機の分解斜視図である。
【図２】本発明による空気調和機の天面グリルを押し開いた時の外観斜視図である。
【図３】本発明による空気調和機の説明図で、（Ａ）は第一の断面図であり、（Ｂ）は要部拡大図である。
【図４】本発明による空気調和機の第二の断面図である。
【図５】本発明による空気調和機の第三の断面図である。
【図６】本発明による空気調和機の要部説明図で、（Ａ）は分解斜視図であり、（Ｂ）は天面グリルの連係ピン取付部裏面側を示す要部斜視図である。
【図７】従来例による空気調和機の断面図である。
【符号の説明】
【００４０】
１  パネル
1a  前面パネル
1b  天面グリル
1c  第一連係部
1d  第二連係部
２  吸込口
３  吹出口
４  エアフィルタ
５  熱交換器
６  送風ファン
７  除塵装置
7a  駆動モータ
８  ガイド
10  リンク機構
10a 第一リンク
10b 第二リンク
10c 第一連係ピン
10d 第二スライドピン
10e 第一スライドピン
10f 第二連係ピン
10g スライド溝
10h 枢支部
11  付勢ばね
12  駆動モータ
【図１】
2008075927.tif 000003
【図２】
2008075927.tif 000004
【図３】
2008075927.tif 000005
【図４】
2008075927.tif 000006
【図５】
2008075927.tif 000007
【図６】
2008075927.tif 000008
【図７】
2008075927.tif 000009